(57)【要約】【課題】専用の装置を用いることなくユーザの指紋情報を取得する。【解決手段】インターホン装置１は、操作部１６と、指紋情報取得部１９と、出力部４０と、を備える。操作部１６は、複数の呼び出し先のうち少なくとも１つの呼び出し先を特定するための入力操作を受け付ける。指紋情報取得部１９は、入力操作において操作部１６の少なくとも一部が操作されたときの指紋情報を取得する。出力部４０は、指紋情報取得部１９により取得された指紋情報の認証結果に基づく情報である出力情報を出力する。【選択図】図１
2020127088.tif 000002
【特許請求の範囲】
【請求項１】
複数の呼び出し先のうち少なくとも１つの呼び出し先を特定するための入力操作を受け付ける操作部と、
前記入力操作において前記操作部の少なくとも一部が操作されたときの指紋情報を取得する指紋情報取得部と、
前記指紋情報取得部により取得された前記指紋情報の認証結果に基づく情報である出力情報を出力する出力部と、を備える、
インターホン装置。
【請求項２】
前記操作部の少なくとも一部は、前記入力操作として前記少なくとも１つの呼び出し先を決定するための入力操作を受け付ける第１部分を除く第２部分である、
請求項１に記載のインターホン装置。
【請求項３】
前記操作部は、複数の押しボタンを含む、
請求項１又は２に記載のインターホン装置。
【請求項４】
前記指紋情報取得部は、前記複数の押しボタンのうち２以上の押しボタンがそれぞれ押されたとき、又は前記複数の押しボタンのうち１以上の押しボタンが２回以上押されたときの２以上の前記指紋情報を取得する、
請求項３に記載のインターホン装置。
【請求項５】
前記指紋情報取得部により取得される複数の前記指紋情報のうちいずれの指紋情報を前記指紋情報の認証に用いるかを設定する設定部を更に備える、
請求項１〜４のいずれか１項に記載のインターホン装置。
【請求項６】
前記指紋情報の認証に用いられる参照情報を取得する参照情報取得部を更に備える、
請求項１〜５のいずれか１項に記載のインターホン装置。
【請求項７】
前記指紋情報取得部が前記参照情報取得部として兼用される、
請求項６に記載のインターホン装置。
【請求項８】
前記参照情報取得部は、前記少なくとも１つの呼び出し先に設けられている情報端末、又は前記情報端末とは異なる他の情報端末から前記参照情報を取得する、
請求項６に記載のインターホン装置。
【請求項９】
前記操作部を示す情報が前記操作部の周囲に表示されている、
請求項１〜８のいずれか１項に記載のインターホン装置。
【請求項１０】
前記操作部は、前記指紋情報取得部により前記指紋情報を取得できない場合でも前記入力操作を受け付ける、
請求項１〜９のいずれか１項に記載のインターホン装置。
【請求項１１】
第１領域に設けられ、前記第１領域とは異なる第２領域に設けられている情報端末と通信可能であり、
前記出力情報は、前記第１領域と前記第２領域との間に設けられている開閉部材を開閉するための情報である開閉情報、又は前記指紋情報の認証結果を含む、
請求項１〜１０のいずれか１項に記載のインターホン装置。
【請求項１２】
請求項１〜１１のいずれか１項に記載のインターホン装置と通信する情報端末であって、
前記出力情報に応じた情報である対応情報と、前記指紋情報の取得タイミングを含む所定期間において前記インターホン装置の撮像部により撮像された画像情報と、を表示する表示部を備える、
情報端末。
【請求項１３】
請求項１〜１１のいずれか１項に記載のインターホン装置と、
前記インターホン装置と通信する情報端末と、を備える、
インターホンシステム。
【発明の詳細な説明】
【技術分野】
【０００１】
本開示は、インターホン装置、情報端末、及びインターホンシステムに関する。より詳細には、本開示は、ユーザの入力操作を受け付ける操作部を備えるインターホン装置、情報端末、及びインターホンシステムに関する。
【背景技術】
【０００２】
特許文献１には、戸建て住宅向けのインターホンシステムが記載されている。特許文献１に記載のインターホンシステムは、ドアホン（インターホン装置）と、インターホン親機（情報端末）とを備える。ドアホンは、住宅外に設置され、居住者を呼び出し可能である。インターホン親機は、住宅内に設置され、ドアホンからの呼び出しに応じてドアホンとの間で通話可能である。
【先行技術文献】
【特許文献】
【０００３】
【特許文献１】特開２０１３−２６８４９号公報
【発明の概要】
【発明が解決しようとする課題】
【０００４】
特許文献１に記載のインターホンシステムでは、例えば、来訪者（ユーザ）の指紋情報に基づいて来訪者の認証を行う場合、来訪者の指紋情報を取得するための専用の装置が必要であった。
【０００５】
本開示の目的は、専用の装置を用いることなくユーザの指紋情報を取得することができるインターホン装置、情報端末、及びインターホンシステムを提供することにある。
【課題を解決するための手段】
【０００６】
本開示の一態様に係るインターホン装置は、操作部と、指紋情報取得部と、出力部と、を備える。前記操作部は、複数の呼び出し先のうち少なくとも１つの呼び出し先を特定するための入力操作を受け付ける。前記指紋情報取得部は、前記入力操作において前記操作部の少なくとも一部が操作されたときの指紋情報を取得する。前記出力部は、前記指紋情報取得部により取得された前記指紋情報の認証結果に基づく情報である出力情報を出力する。
【０００７】
本開示の一態様に係る情報端末は、前記インターホン装置と通信する情報端末である。前記情報端末は、表示部を備える。前記表示部は、前記出力情報に応じた情報である対応情報と、前記指紋情報の取得タイミングを含む所定期間において前記インターホン装置の撮像部により撮像された画像情報と、を表示する。
【０００８】
本開示の一態様に係るインターホンシステムは、前記インターホン装置と、情報端末と、を備える。前記情報端末は、前記インターホン装置と通信する。
【発明の効果】
【０００９】
本開示によれば、専用の装置を用いることなくユーザの指紋情報を取得することができる、という効果がある。
【図面の簡単な説明】
【００１０】
【図１】図１は、本開示の一実施形態に係るインターホンシステムのブロック図である。
【図２】図２は、本開示の一実施形態に係るインターホン装置の正面図である。
【図３】図３は、同上のインターホンシステムの動作を説明するためのフローチャートである。
【図４】図４は、本開示の一実施形態の変形例１に係るインターホン装置のブロック図である。
【図５】図５は、同上のインターホン装置を用いたインターホンシステムの動作を説明するためのフローチャートである。
【図６】図６は、本開示の一実施形態の変形例２に係るインターホン装置の正面図である。
【発明を実施するための形態】
【００１１】
（実施形態）
以下、実施形態に係るインターホン装置、情報端末、及びインターホンシステムについて、図面を参照して説明する。下記の実施形態等において説明する図２及び図６は、模式的な図であり、図２及び図６中の各構成要素の大きさや厚さそれぞれの比が、必ずしも実際の寸法比を反映しているとは限らない。
【００１２】
（１）概要
まず、実施形態に係るインターホン装置１、情報端末２、及びインターホンシステム１０の概要について、図１を参照して説明する。
【００１３】
本実施形態に係るインターホンシステム１０は、例えば、マンション等の集合住宅１００に適用される集合住宅用のインターホンシステムである。本実施形態に係るインターホンシステム１０は、図１に示すように、インターホン装置１と、複数（図１では２つ）の情報端末２と、制御装置３と、複数（図１では２つ）のドアホン４と、記憶装置７と、を備えている。インターホンシステム１０では、インターホン装置１と複数の情報端末２の各々とが制御装置３を介して通信を行う。また、インターホンシステム１０では、複数の情報端末２と複数のドアホン４とが一対一に対応している。なお、本実施形態に係るインターホンシステム１０は、集合住宅１００以外に、戸建住宅に適用されてもよい。あるいは、インターホンシステム１０は、事務所、店舗、学校若しくは介護施設等の非住宅施設等に適用されてもよい。
【００１４】
インターホン装置１は、例えば、集合住宅１００の共用玄関（ロビー）１０１に設けられているロビーインターホン（子機）である。つまり、本実施形態では、集合住宅１００の共用玄関１０１が第１領域（以下、「第１領域１０１」ともいう）である。インターホン装置１は、第１幹線６１を介して制御装置３に接続されている。インターホン装置１は、制御装置３を介して、各情報端末２との間で通信（例えば、通話、及び映像信号の送信等）を行うように構成されている。
【００１５】
複数の情報端末２の各々は、例えば、集合住宅１００に含まれる複数の住戸１０２の各々に設けられている住戸端末（親機）である。つまり、本実施形態では、集合住宅１００の各住戸１０２が第２領域（以下、「第２領域１０２」ともいう）である。各情報端末２は、例えば、各住戸１０２の内玄関に設けられている。各情報端末２は、第２幹線６２、分岐線６３、及び分岐器５を介して制御装置３に接続されている。各情報端末２は、制御装置３を介して、インターホン装置１との間で通信（例えば、通話、及び制御信号の送信等）を行うように構成されている。さらに、各情報端末２は、接続線６４を介して対応するドアホン４に接続されている。各情報端末２は、対応するドアホン４との間で通信（例えば、通話、及び制御信号の送信等）を行うように構成されている。
【００１６】
制御装置３は、例えば、集合住宅１００の管理室１０３に設けられている。制御装置３は、第１幹線６１を介してインターホン装置１に接続され、かつ第２幹線６２を介して各情報端末２に接続されている。つまり、制御装置３は、インターホン装置１と各情報端末２との間の通信を中継するように構成されている。
【００１７】
複数のドアホン４の各々は、例えば、集合住宅１００の各住戸１０２の外玄関に設けられている。各ドアホン４は、接続線６４を介して対応する情報端末２に接続されている。各ドアホン４は、対応する情報端末２との間で通信（例えば、通話、映像信号の送信等）を行うように構成されている。
【００１８】
記憶装置７は、例えば、集合住宅１００の管理室１０３に設けられている。記憶装置７は、ユーザ（来訪者、住人等）の指紋情報の認証に用いられる参照情報（後述する）を記憶（登録）するように構成されている。記憶装置７は、制御装置３に接続されている。記憶装置７は、制御装置３との間で参照情報の送受信を行うように構成されている。
【００１９】
本実施形態では、第１幹線６１、第２幹線６２、分岐線６３、及び接続線６４は、いずれもツイストペア線である。つまり、実際には、第１幹線６１、第２幹線６２、分岐線６３、及び接続線６４は２本の電線で構成されるが、図面上は１本の線で表している。第１幹線６１、第２幹線６２、分岐線６３、及び接続線６４の少なくとも１つはツイストペア線以外の電線であってもよい。
【００２０】
本実施形態に係るインターホン装置１は、図１に示すように、操作部１６と、指紋情報取得部１９と、出力部４０（一例として、通信部１１）と、を備えている。操作部１６は、複数の呼び出し先（住戸１０２）のうち少なくとも１つの呼び出し先を特定するための入力操作を受け付ける。指紋情報取得部１９は、上記入力操作において操作部１６の少なくとも一部（例えば、数字ボタン１６１）が操作されたときの指紋情報を取得する。出力部４０は、指紋情報取得部１９により取得された指紋情報の認証結果に基づく情報である出力情報を出力する。出力情報は、開閉情報、又は指紋情報の認証結果を含む。開閉情報は、開閉部材８（後述する）を開閉するための情報であって、例えば、開閉部材８の電気錠装置８１を解錠するための解錠信号を含む。本実施形態では、出力情報が解錠信号を含む場合を例に説明する。
【００２１】
本実施形態に係る情報端末２は、上述のインターホン装置１と通信可能である。情報端末２は、図１に示すように、表示部２６を備えている。表示部２６は、上記出力情報に応じた情報である対応情報と、画像情報と、を表示する。画像情報は、指紋情報の取得タイミングを含む所定期間においてインターホン装置１の撮像部１８（後述する）により撮像された画像に関する情報である。例えば、出力情報が解錠信号を含む場合には、対応情報は、例えば、「開閉部材を解錠しました」等の文字情報である。また、出力情報が指紋情報の認証結果を含む場合には、対応情報は、例えば、「認証に成功しました」、又は「認証に失敗しました」等の文字情報である。所定期間は、指紋情報の取得タイミングを含んでいればよく、撮像部１８による撮像期間において任意に設定することができる。
【００２２】
本実施形態に係るインターホンシステム１０は、上述のインターホン装置１と、情報端末２と、を備えている。情報端末２は、インターホン装置１と通信する。
【００２３】
上述のように、指紋情報取得部１９は、呼び出し先を特定するための入力操作において操作部１６の少なくとも一部が操作されたときに指紋情報を取得するように構成されている。したがって、指紋情報を取得するための専用の装置が不要である。すなわち、本実施形態に係るインターホン装置１によれば、指紋情報を取得するための専用の装置を用いることなくユーザの指紋情報を取得することができる。
【００２４】
（２）構成
次に、本実施形態に係るインターホン装置１、情報端末２、及びインターホンシステム１０の構成について、図１及び図２を参照して説明する。
【００２５】
本実施形態に係るインターホンシステム１０は、図１に示すように、インターホン装置１と、複数（図１では２つ）の情報端末２と、制御装置３と、複数（図１では２つ）のドアホン４と、記憶装置７と、を備えている。複数の情報端末２と複数のドアホン４とは一対一に対応している。
【００２６】
（２．１）インターホン装置
インターホン装置１は、図１に示すように、通信部１１と、制御部１２と、通話部１３と、映像処理部１４と、表示部１５と、操作部１６と、記憶部１７と、撮像部１８と、指紋情報取得部１９と、設定部２０と、を備えている。
【００２７】
通信部１１は、情報端末２（の第１通信部２１）と通信するための通信インターフェースである。通信部１１は、第１幹線６１を介して制御装置３（の第１通信部３１）に接続されている。通信部１１は、制御装置３を介して、情報端末２に対して音声信号、及び映像信号等を送信する。また、通信部１１は、開閉部材８に対して出力情報（開閉情報）を送信（出力）する。つまり、通信部１１は、指紋情報取得部１９により取得された指紋情報の認証結果に基づく情報である出力情報を出力する出力部４０として機能する。さらに、通信部１１は、制御装置３を介して、情報端末２から音声信号、及び制御信号等を受信する。また、通信部１１は、制御装置３を介して、記憶装置７から指紋情報の認証に用いられる参照情報（リファレンス情報）を受信（取得）する。つまり、通信部１１は、指紋情報の認証に用いられる参照情報を取得する参照情報取得部４１としても機能する。参照情報は、指紋情報取得部１９により取得された指紋情報と照合するための情報であって、予め登録されている指紋情報である。ここで、インターホン装置１からの通信信号には、情報端末２を特定するための情報（例えば、アドレス情報等）が含まれている。そのため、この通信信号に含まれるアドレス情報と一致するアドレス情報が割り当てられた情報端末２のみが通信信号を受信することができる。
【００２８】
制御部１２は、例えば、１以上のプロセッサ及び１以上のメモリを有するコンピュータシステムを主構成とする。そして、コンピュータシステムのメモリに記録されたプログラムを、コンピュータシステムのプロセッサが実行することにより、制御部１２の機能が実現される。プログラムは、メモリに予め記録されていてもよいし、インターネット等の電気通信回線を通じて、又はメモリカード等の非一時的な記録媒体に記録されて提供されてもよい。制御部１２は、通信部１１、通話部１３、映像処理部１４、撮像部１８、及び指紋情報取得部１９等を制御するように構成されている。さらに、制御部１２は、指紋情報取得部１９により取得された指紋情報の認証を行うように構成されている。具体的には、制御部１２は、指紋情報取得部１９により取得された指紋情報と、記憶装置７から取得した参照情報とを比較する。制御部１２は、指紋情報と参照情報とが一致すれば認証に成功したと判断し、指紋情報と参照情報とが一致しなければ認証に失敗したと判断する。本開示でいう「一致」とは、指紋情報と参照情報とが完全に一致する場合はもちろん、指紋情報と参照情報との差分が一定範囲内に収まっている場合も含む。また、本開示でいう「認証に失敗する」とは、第１の場合と、第２の場合と、を含む。第１の場合は、指紋情報取得部１９により取得された指紋情報は鮮明であるが、この指紋情報と一致する参照情報がない場合である。第２の場合は、指紋情報取得部１９により取得された指紋情報が不鮮明であり、この指紋情報がいずれの参照情報とも一致しない場合である。制御部１２は、指紋情報の認証が終了すると、認証結果に基づく情報である出力情報を作成し、この出力情報を出力部４０（通信部１１）から開閉部材８に出力（送信）させる。
【００２９】
通話部１３は、スピーカ及びマイクロホンを含み、情報端末２との間で通話可能に構成されている。
【００３０】
映像処理部１４は、撮像部１８、及び指紋情報取得部１９のカメラ１９１（後述する）で撮像された画像に対して画像処理を実行するように構成されている。映像処理部１４は、例えば、ＤＳＰ（Digital Signal Processor）、又はＦＰＧＡ（Field-Programmable Gate Array）等のデバイスにて実現される。
【００３１】
表示部１５は、例えば液晶ディスプレイである。表示部１５は、映像処理部１４からの映像（カメラ１９１で撮像された画像を除く）を表示するように構成されている。なお、インターホン装置１がタッチパネルディスプレイを備えている場合には、タッチパネルディスプレイが表示部１５と操作部１６の一部（複数の押しボタン１６１〜１６４を除く）とを兼ねてもよい。
【００３２】
操作部１６は、ユーザ（来訪者、住人等）の入力操作を受け付けるように構成されている。言い換えると、操作部１６は、複数の呼び出し先（住戸１０２）のうち少なくとも１つの呼び出し先を特定するための入力操作を受け付けるように構成されている。操作部１６は、複数の押しボタン１６１〜１６４（図２参照）を有する入力インターフェースである。言い換えると、操作部１６は、複数の押しボタン１６１〜１６４を含む。以下、複数の押しボタン１６１〜１６４について、図２を参照して説明する。
【００３３】
複数の押しボタン１６１は、例えば、０〜９の数字ボタン（以下、「数字ボタン１６１」ともいう）である。押しボタン１６２は、例えば、アスタリスクボタン（以下、「アスタリスクボタン１６２」ともいう）である。押しボタン１６３は、例えば、消ボタン（以下、「消ボタン１６３」ともいう）である。押しボタン１６４は、例えば、呼出ボタン（以下、「呼出ボタン１６４」ともいう）である。
【００３４】
各押しボタン１６１〜１６４の上部には、各押しボタン１６１〜１６４を示す情報Ｉ１が表示されている。言い換えると、各押しボタン１６１〜１６４を示す情報Ｉ１は、各押しボタン１６１〜１６４（操作部１６）の周囲（上部）に表示されている。これにより、各押しボタン１６１〜１６４に情報Ｉ１が重なっている場合に比べて、より鮮明な指紋情報を取得することができる。
【００３５】
例えば、ユーザが、インターホン装置１で、部屋番号（住戸番号）「１０２４号室」の住人を呼び出したい場合、複数の数字ボタン１６１のうち対応する数字ボタン１６１を順に押していき、部屋番号を入力する。このとき、押された数字ボタン１６１に対応する数字が順次、表示部１５に表示される。最後に、ユーザが、呼出ボタン１６４を押すことで、部屋番号の入力が確定される。つまり、本実施形態に係るインターホン装置１では、呼出ボタン１６４が第１部分Ａ１である。言い換えると、呼出ボタン１６４は、操作部１６による入力操作として少なくとも１つの呼び出し先を決定するための入力操作を受け付ける第１部分Ａ１である。また、本実施形態に係るインターホン装置１では、複数の数字ボタン１６１が第２部分Ａ２であり、指紋情報取得部１９により指紋情報を取得する際に操作される部位（操作部１６の少なくとも一部）である。
【００３６】
記憶部１７は、読み書き可能なメモリで構成されている。記憶部１７は、例えばフラッシュメモリである。記憶部１７は、例えば、撮像部１８で撮像された映像の映像データを記憶する。
【００３７】
撮像部１８は、撮像素子を有し、被写体（ユーザ）を撮像するためのカメラである。本実施形態では、ユーザがインターホン装置１を操作する際に少なくともユーザの顔が撮像できるように、撮像部１８の撮像エリア（視野）がインターホン装置１の前方に設定されている。本実施形態では、撮像部１８は動画を撮像するカメラである。さらに、本実施形態では、撮像部１８はカラー画像を撮像するカメラである。なお、撮像部１８は、静止画を撮像するカメラ（スチルカメラ）であってもよいし、モノクロ画像を撮像するカメラであってもよい。
【００３８】
撮像素子は、例えば、ＣＣＤ（Charge Coupled Devices）イメージセンサ、又はＣＭＯＳ（Complementary Metal-Oxide Semiconductor）イメージセンサ等の二次元イメージセンサである。本実施形態では、撮像素子はＣＭＯＳイメージセンサである。撮像部１８は、被写体からの光をレンズ等の光学系によって撮像素子の撮像面（受光面）上に結像させ、撮像素子にて被写体からの光を電気信号に変換する。そして、撮像部１８は、撮像素子の出力信号を映像信号として映像処理部１４へ出力する。
【００３９】
指紋情報取得部１９は、例えば、図２に示すように、複数（図２では９つ）のカメラ１９１を有している。複数のカメラ１９１は、複数の押しボタン１６１と一対一に対応している。複数のカメラ１９１の各々は、後述する筐体２００の奥行方向（図２の紙面に垂直な方向）において、複数の押しボタン１６１のうち対応する押しボタン１６１と対向するように筐体２００内に収納されている。複数のカメラ１９１の各々は、対応する押しボタン１６１が押されたときに指紋の画像（指紋情報）を取得する。言い換えると、指紋情報取得部１９は、操作部１６による入力操作において操作部１６の少なくとも一部が操作されたときの指紋情報を取得する。さらに言い換えると、指紋情報取得部１９は、複数の押しボタン１６１のうち２以上の押しボタン１６１がそれぞれ押されたときの２以上の指紋情報を取得する。
【００４０】
設定部２０は、指紋情報取得部１９により取得される複数の指紋情報のうちいずれの指紋情報を認証に用いるかの条件を設定する。具体的には、設定部２０は、第１条件、又は第２条件を設定する。第１条件は、呼び出し先を特定するための入力操作において取得される複数の指紋情報のうちいずれのタイミングで取得された指紋情報を認証に用いるかを表す条件である。第２条件は、複数の押しボタン１６１〜１６４のうちいずれの押しボタンが押されたときの指紋情報を認証に用いるかを表す条件である。本実施形態では、設定部２０は、第１条件を設定する。設定部２０は、操作部１６の入力操作に応じて第１条件を設定する。一例として、複数の押しボタン１６１〜１６４のうち３番目に押された押しボタンに対応する指紋情報を認証に用いる場合を想定する。この場合、設定部２０は、第１条件を設定する設定モードにおいて「３」に対応付けられている押しボタン１６１が押されることで、３番目に押された押しボタンに対応する指紋情報を認証に用いること、つまり第１条件を設定する。
【００４１】
図２は、本実施形態に係るインターホン装置１の正面図である。インターホン装置１は、図２に示すように、筐体２００を更に備えている。筐体２００は、全体としてへん平な矩形の箱形状に形成されている。筐体２００は、図２に示すように、その正面側において、正面視が矩形の本体カバー２０１と、本体カバー２０１の周囲を囲む矩形枠状の化粧カバー２０２と、を有している。撮像部１８は、本体カバー２０１の前面の上部中央において露出するように配置されている。表示部１５は、本体カバー２０１の前面における撮像部１８の真下に配置されている。複数の押しボタン１６１〜１６４を含む操作部１６は、本体カバー２０１の前面における表示部１５より下側に配置されている。なお、本体カバー２０１の前面における撮像部１８の左右両側には、それぞれ人感センサ４２又は複数の音響孔２０３が設けられている。人感センサ４２は、例えば、熱線センサであり、人体から放射される赤外線を検知することにより人物を検出する。本実施形態に係るインターホン装置１では、人感センサ４２により人物が検出されると、撮像部１８が撮像を開始する。複数の音響孔２０３は、通話部１３のスピーカからの音声を外部に導出するための貫通孔である。
【００４２】
（２．２）情報端末
情報端末２は、図１に示すように、第１通信部２１と、第２通信部２２と、制御部２３と、通話部２４と、映像処理部２５と、表示部２６と、操作部２７と、記憶部２８と、を備えている。
【００４３】
第１通信部２１は、インターホン装置１（の通信部１１）と通信するための通信インターフェースである。第１通信部２１は、第２幹線６２、分岐線６３、及び分岐器５を介して制御装置３に接続されている。第１通信部２１は、制御装置３を介して、インターホン装置１に対して音声信号、及び制御信号等を送信する。さらに、第１通信部２１は、制御装置３を介して、インターホン装置１から音声信号、及び映像信号等を受信する。
【００４４】
第２通信部２２は、ドアホン４と通信するための通信インターフェースである。第２通信部２２は、接続線６４を介してドアホン４に接続されている。第２通信部２２は、ドアホン４に対して音声信号、及び制御信号等を送信し、ドアホン４から音声信号、及び映像信号等を受信する。
【００４５】
制御部２３は、例えば、１以上のプロセッサ及び１以上のメモリを有するコンピュータシステムを主構成とする。そして、コンピュータシステムのメモリに記録されたプログラムを、コンピュータシステムのプロセッサが実行することにより、制御部２３の機能が実現される。プログラムは、メモリに予め記録されていてもよいし、インターネット等の電気通信回線を通じて、又はメモリカード等の非一時的な記録媒体に記録されて提供されてもよい。制御部２３は、第１通信部２１、第２通信部２２、通話部２４、及び映像処理部２５等を制御するように構成されている。
【００４６】
通話部２４は、スピーカ及びマイクロホンを含み、インターホン装置１、及びドアホン４との間で通話可能に構成されている。
【００４７】
映像処理部２５は、インターホン装置１、及びドアホン４からの映像信号を受けて、信号処理により映像信号に含まれる映像を処理するように構成されている。映像処理部２５は、例えば、ＤＳＰ、又はＦＰＧＡ等のデバイスにて実現される。
【００４８】
表示部２６は、例えば液晶ディスプレイである。表示部２６は、インターホン装置１からの対応情報と、映像処理部２５からの映像と、を表示するように構成されている。言い換えると、表示部２６は、出力情報に応じた対応情報と、画像情報と、を表示するように構成されている。画像情報は、指紋情報の取得タイミングを含む所定期間においてインターホン装置１の撮像部１８により撮像された画像に関する情報である。なお、情報端末２がタッチパネルディスプレイを備えている場合には、タッチパネルディスプレイが表示部２６と操作部２７とを兼ねてもよい。
【００４９】
操作部２７は、ユーザ（例えば、各住戸１０２の住人等）の操作を受け付けるように構成されている。操作部２７は、少なくとも通話ボタン、及び解錠ボタンを有している。通話ボタンは、インターホン装置１からの呼び出しに対してインターホン装置１との通話を開始するためのボタンである。つまり、第１通信部２１が住人を呼び出すための呼出信号を受信している状態で通話ボタンが押されると、インターホン装置１又はドアホン４と情報端末２との間で音声通話が可能になる。解錠ボタンは、開閉部材８を解錠するためのボタンである。
【００５０】
記憶部２８は、読み書き可能なメモリで構成されている。記憶部２８は、例えばフラッシュメモリである。記憶部２８は、例えば、インターホン装置１、及びドアホン４からの映像データを記憶する。さらに、記憶部２８は、情報端末２に割り当てられたアドレス情報を記憶する。
【００５１】
（２．３）制御装置
制御装置３は、図１に示すように、第１通信部３１と、制御部３２と、記憶部３３と、第２通信部３４と、を備えている。
【００５２】
第１通信部３１は、インターホン装置１、及び情報端末２と通信するための通信インターフェースである。第１通信部３１は、第１幹線６１を介してインターホン装置１に接続され、第２幹線６２を介して情報端末２に接続されている。つまり、第１通信部３１は、インターホン装置１と情報端末２との間の通信を中継するように構成されている。
【００５３】
第２通信部３４は、記憶装置７と通信するための通信インターフェースである。第２通信部３４は、記憶装置７との間で参照情報の送受信を行う。例えば、指紋情報取得部１９により取得された指紋情報の認証を行う場合には、第２通信部３４は、記憶装置７において読み出された参照情報を記憶装置７から受信する。一方、指紋情報取得部１９により取得された指紋情報が未登録の場合には、第２通信部３４は、インターホン装置１から取得した指紋情報（参照情報）を記憶装置７に送信する。
【００５４】
制御部３２は、例えば、１以上のプロセッサ及び１以上のメモリを有するコンピュータシステムを主構成とする。そして、コンピュータシステムのメモリに記録されたプログラムを、コンピュータシステムのプロセッサが実行することにより、制御部３２の機能が実現される。プログラムは、メモリに予め記録されていてもよいし、インターネット等の電気通信回線を通じて、又はメモリカード等の非一時的な記録媒体に記録されて提供されてもよい。制御部３２は、第１通信部３１、及び第２通信部３４を制御するように構成されている。
【００５５】
記憶部３３は、読み書き可能なメモリで構成されている。記憶部３３は、例えばフラッシュメモリである。記憶部３３は、例えば、各住戸１０２に割り当てられた部屋番号と、各情報端末２に割り当てられたアドレスとの対応関係を表す対応テーブルを記憶する。つまり、制御装置３では、制御部３２は、対応テーブルを参照して、インターホン装置１からの通信信号に含まれる部屋番号を対応する情報端末２のアドレスに置き換えた通信信号を作成し、この通信信号を第１通信部３１から各情報端末２に送信させる。そして、各情報端末２では、制御部２３は、第１通信部２１が受信した通信信号に含まれるアドレスが、記憶部２８に記憶されているアドレスと一致する場合には、この通信信号に含まれる情報を取得する。また、各情報端末２では、制御部２３は、第１通信部２１が受信した通信信号に含まれるアドレスが、記憶部２８に記憶されているアドレスと一致しない場合には、この通信信号に含まれる情報を破棄する。
【００５６】
（２．４）ドアホン
各ドアホン４は、図１に示すように、接続線６４を介して対応する情報端末２に接続されている。ドアホン４は、情報端末２に対して音声信号、及び映像信号等を送信する。さらに、ドアホン４は、情報端末２から音声信号、及び制御信号等を受信する。
【００５７】
（２．５）記憶装置
記憶装置７は、例えば、制御装置３に接続されているサーバ装置である。記憶装置７は、例えば、指紋情報に用いられる参照情報と、呼び出し先の部屋番号とを紐付けて記憶している。記憶装置７は、参照情報を要求する第１信号が制御装置３を介してインターホン装置１から送られてくると、第１信号に含まれている呼び出し先の部屋番号に紐付けられている参照情報を読み出す。そして、記憶装置７は、読み出した参照情報を含む第２信号を制御装置３を介してインターホン装置１に送信する。また、記憶装置７は、指紋情報取得部１９により取得された指紋情報が未登録であって、例えば住人、又は管理人からの指示があった場合に、制御装置３を介してインターホン装置１から送られてくる指紋情報と、呼び出し先の部屋番号とを紐付けて記憶する。
【００５８】
（２．６）開閉部材
開閉部材８は、例えば、第１領域である集合住宅１００の共用玄関１０１と、第２領域である集合住宅１００の各住戸１０２との間に設けられている自動ドアである。開閉部材８は、電気錠装置８１を含む。開閉部材８は、インターホン装置１からの解錠信号に従って電気錠装置８１を解錠する。これにより、開閉部材８を開くことができる。開閉部材８が解錠信号を受け取っていない状態では、電気錠装置８１が施錠されており、開閉部材８を開くことができない。
【００５９】
（３）動作
次に、本実施形態に係るインターホンシステム１０の動作について、図３を参照して説明する。以下の説明では、ユーザの指紋情報（参照情報）が予め記憶装置７に記憶（登録）されている場合を想定する。
【００６０】
ユーザは、操作部１６に対して、呼び出し先の住戸１０２を呼び出すための入力操作を行う。例えば、呼び出し先の住戸１０２の部屋番号が「１０２４号室」である場合、ユーザは、「１」、「０」、「２」、「４」の順に対応する数字ボタン１６１を押した後、呼出ボタン１６４を押す。このとき、指紋情報取得部１９は、数字ボタン１６１が押されるたびに対応するカメラ１９１により指紋の画像（指紋情報）を取得する（ステップＳ１１）。
【００６１】
インターホン装置１では、ユーザにより呼出ボタン１６４が押されると、制御部１２は、呼び出し先の部屋番号に対応付けられている参照情報を要求する第１信号を作成し、この第１信号を通信部１１から記憶装置７に向けて送信させる。第１信号は、制御装置３を介して記憶装置７に送信される。記憶装置７は、第１信号を受信すると、第１信号に含まれている部屋番号に紐付けられている参照情報を読み出し、この参照情報を含む第２信号を作成する。その後、記憶装置７は、作成した第２信号をインターホン装置１に向けて送信する。第２信号は、制御装置３を介してインターホン装置１に送信される。
【００６２】
インターホン装置１では、通信部１１が第２信号を受信すると、制御部１２は、第２信号に含まれている参照情報に基づいて、指紋情報の認証を行う（ステップＳ１２）。具体的には、制御部１２は、指紋情報取得部１９により取得された指紋情報と、記憶装置７から取得した参照情報とを比較することで、指紋情報の認証を行う。ここで、本実施形態では、設定部２０によって、３番目に押された押しボタンに対応する指紋情報を認証に用いるように設定されている。したがって、制御部１２は、「２」に対応付けられている数字ボタン１６１が押されたときに取得した指紋情報に基づいて、指紋情報の認証を行う。制御部１２は、指紋情報と参照情報とが一致していれば認証に成功したと判断し、指紋情報と参照情報とが一致しなければ認証に失敗したと判断する。
【００６３】
指紋情報の認証に成功した場合（ステップＳ１２：Ｙｅｓ）、制御部１２は、開閉部材８の電気錠装置８１を解錠するための解錠信号（開閉情報）を作成し、この解錠信号を含む出力情報を通信部１１から開閉部材８に送信させる（ステップＳ１３）。これにより、開閉部材８において電気錠装置８１が解錠され、開閉部材８を開くことができる。さらに、制御部１２は、出力情報に応じた対応情報を通信部１１から情報端末２に送信させる（ステップＳ１４）。これにより、情報端末２では、インターホン装置１の撮像部１８により撮像された映像（画像）と共に対応情報を表示部２６に表示させることができる。この場合、表示部２６に表示させる対応情報は、例えば、「自動ドアを解錠しました」等の文字情報である。
【００６４】
一方、指紋情報の認証に失敗した場合（ステップＳ１２：Ｎｏ）、制御部１２は、対応情報を通信部１１から情報端末２に送信させる（ステップＳ１５）。この場合、指紋情報の認証に失敗しているため、開閉部材８は施錠された状態に保持される。情報端末２では、制御部２３は、インターホン装置１の撮像部１８により撮像された映像と共に対応情報を表示部２６に表示させる。この場合、表示部２６に表示させる対応情報は、例えば、「認証に失敗しました。」等の文字情報である。
【００６５】
その後、インターホン装置１では、制御部１２は、対応する住戸１０２を呼び出すための呼出信号を通信部１１から情報端末２に送信させる（ステップＳ１６）。情報端末２では、制御部２３は、インターホン装置１からの呼び出しに対して住人からの応答があるか否か、すなわち応答ボタンが押されたか否かを判別する（ステップＳ１７）。住人からの応答があった場合（ステップＳ１７：Ｙｅｓ）、制御部２３は、住人による解錠操作が行われたか否か、すなわち解錠ボタンが押されたか否かを判別する（ステップＳ１８）。住人による解錠操作が行われた場合（ステップＳ１８：Ｙｅｓ）、制御部２３は、解錠信号を作成し、この解錠信号を第１通信部２１からインターホン装置１に送信させる。インターホン装置１では、制御部１２は、情報端末２から解錠信号を受信すると、受信した解錠信号を通信部１１から開閉部材８に送信させる（ステップＳ２０）。これにより、開閉部材８において電気錠装置８１が解錠され、開閉部材８を開くことができる。
【００６６】
ステップＳ１７において住人からの応答がない場合（ステップＳ１７：Ｎｏ）、制御部２３は、インターホン装置１の呼び出しから一定時間が経過しているか否かを判別する（ステップＳ１９）。一定時間が経過していない場合（ステップＳ１９：Ｎｏ）、制御部２３は、ステップＳ１７の処理に戻る。一方、一定時間が経過している場合（ステップＳ１９：Ｙｅｓ）、又は解錠操作が行われていない場合（ステップＳ１８：Ｎｏ）には、制御部２３は動作を終了する。
【００６７】
本実施形態に係るインターホン装置１では、指紋情報取得部１９が、数字ボタン１６１が押されるたびに対応するカメラ１９１により指紋の画像（指紋情報）を取得している。したがって、ユーザの指紋情報を取得するための専用の装置が不要である。すなわち、本実施形態に係るインターホン装置１によれば、専用の装置を用いることなくユーザの指紋情報を取得することができる。
【００６８】
また、本実施形態に係るインターホンシステム１０では、指紋情報の認証に失敗した場合でも、上記入力操作に応じて呼び出し先の住戸１０２を呼び出すことができる。言い換えると、操作部１６は、指紋情報取得部１９により指紋情報を取得できない場合でも入力操作を受け付ける。これにより、指紋情報を取得できない場合でも呼び出し先の住戸１０２を呼び出すことができる。
【００６９】
さらに、上述のように、複数の指紋情報を取得している場合には、２以上の指紋情報により認証を行うことが好ましい。これにより、１つの指紋情報により認証を行う場合に比べて認証精度を向上させることができる。
【００７０】
（４）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００７１】
本開示におけるインターホン装置１、情報端末２、及びインターホンシステム１０は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示におけるインターホン装置１、情報端末２、及びインターホンシステム１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００７２】
インターホン装置１における複数の機能が、１つの筐体内に集約されていることはインターホン装置１に必須の構成ではなく、インターホン装置１の構成要素は、複数の筐体に分散して設けられていてもよい。さらに、インターホン装置１の少なくとも一部の機能（例えば、制御部１２）がクラウド（クラウドコンピューティング）等によって実現されてもよい。
【００７３】
また、情報端末２における複数の機能が、１つの筐体内に集約されていることは情報端末２に必須の構成ではなく、情報端末２の構成要素は、複数の筐体に分散して設けられていてもよい。さらに、情報端末２の少なくとも一部の機能（例えば、制御部２３）がクラウド（クラウドコンピューティング）等によって実現されてもよい。
【００７４】
反対に、本実施形態において、複数の装置に分散されているインターホンシステム１０の少なくとも一部の機能が、１つの筐体内に集約されていてもよい。例えば、インターホン装置１と情報端末２とに分散されているインターホンシステム１０の一部の機能が、１つの筐体内に集約されていてもよい。
【００７５】
（４．１）変形例１
上述の実施形態では、インターホン装置１の通信部１１が出力部４０及び参照情報取得部４１として機能しているが、図４に示すように、指紋情報取得部１９Ａが参照情報取得部４１Ａとして機能してもよい。言い換えると、指紋情報取得部１９Ａが参照情報取得部４１Ａとして兼用されてもよい。以下、変形例１に係るインターホンシステム１０について、図４を参照して説明する。なお、変形例１に係るインターホンシステム１０は、指紋情報取得部１９Ａが参照情報取得部４１Ａとして兼用される点を除いて、上述の実施形態に係るインターホンシステム１０と同様であり、同一の構成要素には同一の符号を付して説明を省略する。
【００７６】
（４．１．１）構成
変形例１に係るインターホンシステム１０は、インターホン装置１Ａと、複数の情報端末２と、制御装置３と、複数のドアホン４と、記憶装置７と、を備えている。
【００７７】
インターホン装置１Ａは、通信部１１と、制御部１２と、通話部１３と、映像処理部１４と、表示部１５と、操作部１６と、記憶部１７と、撮像部１８と、指紋情報取得部１９Ａと、設定部２０と、を備えている。
【００７８】
指紋情報取得部１９Ａは、指紋情報取得部１９と同様、複数のカメラ１９１を有している。複数のカメラ１９１は、複数の数字ボタン１６１と一対一に対応している。複数のカメラ１９１の各々は、対応する押しボタン１６１が押されたときに指紋の画像（指紋情報）を取得する。また、指紋情報取得部１９Ａは、参照情報取得部４１Ａとしても機能する。例えば、指紋情報取得部１９Ａにより取得された指紋情報が記憶装置７に未登録の場合、指紋情報取得部１９Ａにより取得された指紋情報の認証を行うことができない。そのため、指紋情報取得部１９Ａにより取得された指紋情報を参照情報として登録する必要がある。つまり、指紋情報取得部１９Ａは、参照情報取得部４１Ａとして兼用される。
【００７９】
（４．１．２）動作
次に、変形例１に係るインターホンシステム１０の動作について、図５を参照して説明する。
【００８０】
ユーザは、操作部１６に対して、呼び出し先の住戸１０２を呼び出すための入力操作を行う。例えば、呼び出し先の住戸１０２の部屋番号が「１０２４号室」である場合、ユーザは、「１」、「０」、「２」、「４」の順に対応する数字ボタン１６１を押した後、呼出ボタン１６４を押す。このとき、指紋情報取得部１９は、数字ボタン１６１が押されるたびに対応するカメラ１９１により指紋の画像（指紋情報）を取得する（ステップＳ２１）。
【００８１】
インターホン装置１では、ユーザにより呼出ボタン１６４が押されると、制御部１２は、呼び出し先の部屋番号に対応付けられている参照情報があるか否かを判別する（ステップＳ２２）。この場合、制御部１２は、例えば、参照信号を要求する第１信号を記憶装置７に送信し、第１信号に対する記憶装置７からの第２信号に参照情報が含まれているか否かにより参照情報の有無を判別する。
【００８２】
参照情報がある場合、つまり呼び出し先の部屋番号に対応付けられている参照情報が記憶装置７に登録されている場合（ステップＳ２２：Ｙｅｓ）、制御部１２は、指紋情報取得部１９Ａにより取得された指紋情報の認証を行う（ステップＳ２３）。指紋情報の認証に成功した場合（ステップＳ２３：Ｙｅｓ）、制御部１２は、解錠信号を作成し、この解錠信号を含む出力情報を通信部１１から開閉部材８に送信させる（ステップＳ２４）。これにより、開閉部材８において電気錠装置８１が解錠され、開閉部材８を開くことができる。さらに、制御部１２は、出力情報に応じた対応情報を通信部１１から情報端末２に送信させる（ステップＳ２５）。これにより、情報端末２では、インターホン装置１Ａの撮像部１８により撮像された映像（画像）と共に対応情報を表示部２６に表示させることができる。この場合、表示部２６に表示させる対応情報は、例えば、「自動ドアを解錠しました」等の文字情報である。
【００８３】
一方、参照情報がない場合、つまり呼び出し先の部屋番号に対応付けられている参照情報が記憶装置７に登録されていない場合（ステップＳ２２：Ｎｏ）、指紋情報取得部１９Ａにより取得した指紋情報を参照情報として記憶装置７に記憶（登録）させる（ステップＳ２６）。また、制御部１２は、対応情報を通信部１１から情報端末２に送信させる（ステップＳ２７）。これにより、情報端末２では、インターホン装置１Ａの撮像部１８により撮像された映像（画像）と共に対応情報を表示部２６に表示させることができる。この場合、表示部２６に表示させる対応情報は、例えば、「認証を行いませんでした」等の文字情報である。
【００８４】
また、ステップＳ２３において指紋情報の認証に失敗した場合（ステップＳ２３：Ｎｏ）、制御部１２は、対応情報を通信部１１から情報端末２に送信させる（ステップＳ２７）。この場合、指紋情報の認証に失敗しているため、開閉部材８は施錠された状態に保持される。情報端末２では、制御部２３は、インターホン装置１の撮像部１８により撮像された映像と共に対応情報を表示部２６に表示させる。この場合、表示部２６に表示させる対応情報は、例えば、「認証に失敗しました」等の文字情報である。
【００８５】
その後、インターホン装置１では、制御部１２は、対応する住戸１０２を呼び出すための呼出信号を通信部１１から情報端末２に送信させる（ステップＳ２８）。情報端末２では、制御部２３は、インターホン装置１からの呼び出しに対して住人からの応答があるか否か、すなわち応答ボタンが押されたか否かを判別する（ステップＳ２９）。住人からの応答があった場合（ステップＳ２９：Ｙｅｓ）、制御部２３は、住人による解錠操作が行われたか否か、すなわち解錠ボタンが押されたか否かを判別する（ステップＳ３０）。住人による解錠操作が行われた場合（ステップＳ３０：Ｙｅｓ）、制御部２３は、解錠信号を作成し、この解錠信号を通信部１１からインターホン装置１に送信させる。インターホン装置１では、制御部１２は、情報端末２から解錠信号を受信すると、受信した解錠信号を通信部１１から開閉部材８に送信させる（ステップＳ３２）。これにより、開閉部材８において電気錠装置８１が解錠され、開閉部材８を開くことができる。
【００８６】
ステップ２９において住人からの応答がない場合（ステップＳ２９：Ｎｏ）、制御部２３は、インターホン装置１の呼び出しから一定時間が経過しているか否かを判別する（ステップＳ３１）。一定時間が経過していない場合（ステップＳ３１：Ｎｏ）、制御部２３は、ステップＳ２９の処理に戻る。一方、一定時間が経過している場合（ステップＳ３１：Ｙｅｓ）、又は解錠操作が行われていない場合（ステップＳ３０：Ｎｏ）には、制御部２３は動作を終了する。
【００８７】
変形例１に係るインターホン装置１Ａによれば、指紋情報取得部１９により取得された指紋情報を参照情報として登録することができる。さらに、例えば、既に登録されている参照情報の状態が悪く、認証精度が低い場合に、参照情報を再度登録する際に有効である、という利点もある。
【００８８】
変形例１では、記憶装置７に参照情報が登録されていない場合、指紋情報取得部１９Ａにより取得された指紋情報を参照情報として自動的に登録しているが、例えば、各住戸１０２の住人、又は管理人等からの指示により参照情報を登録してもよい。
【００８９】
（４．２）変形例２
上述の実施形態では、インターホン装置１の表示部１５が液晶ディスプレイであるが、図６に示すように、インターホン装置１Ｂの表示部１５Ｂはタッチパネルディスプレイであってもよい。以下、変形例２に係るインターホンシステム１０について、図６を参照して説明する。なお、変形例２に係るインターホンシステム１０は、表示部１５Ｂがタッチパネルである点を除いて、上述の実施形態に係るインターホンシステム１０と同様であり、同一の構成要素には同一の符号を付して説明を省略する。
【００９０】
変形例２に係るインターホンシステム１０は、インターホン装置１Ｂと、複数の情報端末２と、制御装置３と、複数のドアホン４と、記憶装置７と、を備えている。
【００９１】
インターホン装置１Ｂは、通信部１１と、制御部１２と、通話部１３と、映像処理部１４と、表示部１５Ｂと、操作部１６Ｂと、記憶部１７と、撮像部１８と、指紋情報取得部１９と、設定部２０と、を備えている。変形例２に係るインターホンシステム１０では、タッチパネルディスプレイが表示部１５Ｂと操作部１６Ｂとを兼ねている。
【００９２】
表示部１５Ｂは、図６に示すように、第１表示領域１５１と、第２表示領域１５２と、を有している。第２表示領域１５２は、第１表示領域１５１の下側に位置している。
【００９３】
操作部１６Ｂは、操作部１６と同様、複数の押しボタン１６１〜１６４を有している。複数の押しボタン１６１〜１６４は、図６に示すように、表示部１５Ｂの第２表示領域１５２に表示されている。
【００９４】
指紋情報取得部１９は、複数のカメラ１９１を有している。複数のカメラ１９１は、複数の数字ボタン１６１と一対一に対応している。複数のカメラ１９１の各々は、対応する数字ボタン１６１が押されたときに指紋の画像（指紋情報）を取得する。
【００９５】
変形例２に係るインターホン装置１Ｂによれば、上述の実施形態に係るインターホン装置１と同様、呼び出し先の住戸１０２の部屋番号の入力操作においてユーザの指紋情報を取得することができる。したがって、ユーザの指紋情報を取得するための専用の装置が不要である。すなわち、変形例２に係るインターホン装置１Ｂによれば、専用の装置を用いることなくユーザの指紋情報を取得することができる。
【００９６】
変形例２に係るインターホン装置１Ｂにおいて、表示部１５Ｂに表示されている複数の押しボタン１６１〜１６４の位置を定期的に入れ替えることが好ましい。これにより、特定の押しボタンが頻繁に押されることによる指紋情報の取得精度の低下を抑制することができる。
【００９７】
（４．３）その他の変形例
上述の実施形態では、情報端末２において、第１通信部２１がインターホン装置１の通信部１１と通信し、第２通信部２２がドアホン４と通信しているが、例えば、１つの通信部がインターホン装置１及びドアホン４の両方と通信するように構成されていてもよい。例えば、第１通信部２１がインターホン装置１及びドアホン４の両方と通信するように構成されていれば、第２通信部２２を省略することができる。
【００９８】
上述の実施形態では、制御装置３において、第１通信部３１がインターホン装置１の通信部１１及び情報端末２の第１通信部２１と通信し、第２通信部３４が記憶装置７と通信している。これに対して、１つの通信部がインターホン装置１、情報端末２、及び記憶装置７と通信するように構成されていてもよい。例えば、第１通信部３１がインターホン装置１、情報端末２及び記憶装置７と通信するように構成されていれば、第２通信部３４を省略することができる。
【００９９】
上述の実施形態では、出力部４０（通信部１１）が、開閉情報を含む出力情報を開閉部材８に出力（送信）しているが、出力部４０は、例えば、指紋情報の認証結果を含む出力情報を情報端末２に出力してもよい。この場合、情報端末２では、指紋情報の認証結果を表示部２６に表示させることが好ましい。例えば、指紋情報の認証に成功した場合には、表示部２６は、例えば、「認証に成功しました」等の文字情報を表示する。また、指紋情報の認証に失敗した場合には、表示部２６は、例えば、「認証に失敗しました」等の文字情報を表示する。
【０１００】
上述の実施形態では、指紋情報取得部１９は、複数の押しボタン１６１がそれぞれ押されたときの複数の指紋情報を取得しているが、指紋情報の認証を行うことができればよいため、少なくとも１つの指紋情報を取得するように構成されていればよい。また、指紋情報取得部１９は、特定の押しボタン１６１が２回以上押されたときの２以上の指紋情報を取得するように構成されていてもよい。
【０１０１】
上述の実施形態では、インターホン装置１は、制御装置３に接続されている記憶装置７から参照情報を取得しているが、例えば、情報端末２から参照情報を取得してもよい。この場合において、情報端末２は、ユーザ情報と参照情報とを紐付けて記憶部２８に記憶させることが好ましい。一例として、記憶部２８は、ユーザの顔画像（ユーザ情報）と参照情報とを紐付けて記憶する。この場合、インターホン装置１は、制御装置３を介して、参照情報を要求する第１信号を複数の情報端末２に向けて送信する。第１信号には、複数の情報端末２の各々に割り当てられたアドレスが含まれており、第１信号に含まれているアドレスと同じアドレスが割り当てられている情報端末２のみが第１信号を受信することができる。複数の情報端末２のうち第１信号を受信した情報端末２は、記憶部２８に記憶されている複数の参照情報を読み出し、これらの参照情報を含む第２信号を制御装置３を介してインターホン装置１に送信する。インターホン装置１は、情報端末２から取得した複数の参照情報に基づいて指紋情報の認証を行う。具体的には、インターホン装置１は、複数の参照情報を順番に選択し、選択した参照情報と指紋情報とを比較する。そして、インターホン装置１は、複数の参照情報のうち指紋情報と一致する参照情報があれば認証に成功したと判断し、複数の参照情報のうち指紋情報と一致する参照情報がなければ認証に失敗したと判断する。
【０１０２】
ところで、情報端末２の記憶部２８に参照情報を記憶させる場合、ユーザ情報及び参照情報に出力情報を紐付けて記憶部２８に記憶させてもよい。ユーザが家族である場合には、例えば、開閉部材８の電気錠装置８１を解錠するための解錠信号を出力情報としてユーザ情報及び参照情報に紐付けて記憶部２８に記憶させる。また、ユーザが知人である場合には、例えば、情報端末２を呼び出すための呼出信号を出力情報としてユーザ情報及び参照情報に紐付けて記憶部２８に記憶させる。さらに、ユーザが不審者である場合には、上記解錠信号及び上記呼出信号を出力情報に含めないようにすることが好ましい。また、ユーザが不審者である場合には、不審者の情報（顔画像及び参照情報）を全ての情報端末２で共有することが好ましい。
【０１０３】
さらに、インターホン装置１は、情報端末２とは異なる他の情報端末９から参照情報を取得してもよい。図１では、他の情報端末９としてスマートフォンを例示しているが、他の情報端末は、スマートフォンに限らず、例えば、管理室親機、制御装置３等であってもよい。また、参照情報は、インターホン装置１の記憶部１７に記憶させてもよいし、外部サーバ、又はクラウド（クラウドコンピューティング）等に記憶させてもよい。
【０１０４】
上述の実施形態では、複数の数字ボタン１６１が第１部分Ａ１であるが、呼出ボタン１６４が第１部分Ａ１であってもよい。この場合、指紋情報取得部１９は、例えば、呼出ボタン１６４が２秒以上長押しされると、呼出ボタン１６４に対応付けられているカメラ１９１により指紋情報を取得する。また、指紋情報取得部１９は、例えば、呼出ボタン１６４が２回連続で押された場合に、２回目に押されたタイミングで呼出ボタン１６４に対応付けられているカメラ１９１により指紋情報を取得する。
【０１０５】
なお、参照情報の登録については、インターホン装置１で行ってもよいし、情報端末２で行ってもよい。
【０１０６】
また、指紋情報取得部１９により取得した指紋情報が不鮮明であり、その結果、認証に失敗した場合には、例えば、呼出ボタン１６４をもう一度押すようにユーザを促してもよい。この場合、指紋情報取得部１９は、呼出ボタン１６４が再度押されるタイミングで対応するカメラ１９１により指紋情報を取得する。
【０１０７】
上述の実施形態では、全ての数字ボタン１６１に対してカメラ１９１を配置しているが、少なくとも１つの数字ボタン１６１に対してカメラ１９１を配置していればよい。
【０１０８】
（まとめ）
以上述べましたように、第１の態様に係るインターホン装置（１；１Ａ；１Ｂ）は、操作部（１６；１６Ｂ）と、指紋情報取得部（１９；１９Ａ）と、出力部（４０）と、を備える。操作部（１６；１６Ｂ）は、複数の呼び出し先（住戸１０２）のうち少なくとも１つの呼び出し先を特定するための入力操作を受け付ける。指紋情報取得部（１９；１９Ａ）は、上記入力操作において操作部（１６；１６Ｂ）の少なくとも一部（例えば、数字ボタン１６１）が操作されたときの指紋情報を取得する。出力部（４０）は、指紋情報取得部（１９；１９Ａ）により取得された指紋情報の認証結果に基づく情報である出力情報を出力する。
【０１０９】
この態様によれば、指紋情報取得部（１９；１９Ａ）により指紋情報を取得することができ、専用の装置を用いることなくユーザの指紋情報を取得することができる。
【０１１０】
第２の態様に係るインターホン装置（１；１Ａ；１Ｂ）では、第１の態様において、操作部（１６；１６Ｂ）の少なくとも一部は、第２部分（Ａ２）である。第２部分（Ａ２）は、上記入力操作として少なくとも１つの呼び出し先を決定するための入力操作を受け付ける第１部分（Ａ１）を除く部分である。
【０１１１】
この態様によれば、第２部分（Ａ２）が押されたときに指紋情報を取得することができる。
【０１１２】
第３の態様に係るインターホン装置（１；１Ａ；１Ｂ）では、第１又は２の態様において、操作部（１６；１６Ｂ）は、複数の押しボタン（１６１〜１６４）を含む。
【０１１３】
この態様によれば、指紋情報の取得態様を任意に設定することができる。
【０１１４】
第４の態様に係るインターホン装置（１；１Ａ；１Ｂ）では、第３の態様において、指紋情報取得部（１９；１９Ａ）は、複数の押しボタン（１６１〜１６４）のうち２以上の押しボタンがそれぞれ押されたときの２以上の指紋情報を取得する。または、指紋情報取得部（１９；１９Ａ）は、複数の押しボタン（１６１〜１６４）のうち１以上の押しボタンが２回以上押されたときの２以上の指紋情報を取得する。
【０１１５】
この態様によれば、１つの指紋情報により認証を行う場合に比べて認証精度を向上させることができる。
【０１１６】
第５の態様に係るインターホン装置（１；１Ａ；１Ｂ）は、第１〜第４のいずれかの態様において、設定部（２０）を更に備える。設定部（２０）は、指紋情報取得部（１９；１９Ａ）により取得される複数の指紋情報のうちいずれの指紋情報を指紋情報の認証に用いるかを設定する。
【０１１７】
この態様によれば、認証に用いられる指紋情報を任意に設定することができる。
【０１１８】
第６の態様に係るインターホン装置（１；１Ａ；１Ｂ）は、第１〜５のいずれかの態様において、参照情報取得部（４１；４１Ａ）を更に備える。参照情報取得部（４１；４１Ａ）は、指紋情報の認証に用いられる参照情報を取得する。
【０１１９】
この態様によれば、参照情報取得部（４１；４１Ａ）により取得された参照情報に基づいて指紋情報の認証を行うことができる。
【０１２０】
第７の態様に係るインターホン装置（１Ａ）では、第６の態様において、指紋情報取得部（１９Ａ）が参照情報取得部（４１Ａ）として兼用される。
【０１２１】
この態様によれば、指紋情報の取得時に参照情報を取得することができる。
【０１２２】
第８の態様に係るインターホン装置（１；１Ｂ）では、第６の態様において、参照情報取得部（４１）は、情報端末（２）、又は他の情報端末（９）から参照情報を取得する。情報端末（２）は、少なくとも１つの呼び出し先に設けられている。他の情報端末（９）は、情報端末（２）とは異なる端末である。
【０１２３】
この態様によれば、インターホン装置（１；１Ｂ）に参照情報を記憶させなくてもよく、インターホン装置（１；１Ｂ）のメモリ容量を小さくすることができる。
【０１２４】
第９の態様に係るインターホン装置（１；１Ａ；１Ｂ）では、第１〜８のいずれかの態様において、操作部（１６；１６Ｂ）を示す情報（Ｉ１）が操作部（１６；１６Ｂ）の周囲に表示されている。
【０１２５】
この態様によれば、情報（Ｉ１）が操作部（１６；１６Ｂ）に重なっている場合に比べて、より鮮明な指紋情報を取得することができる。
【０１２６】
第１０の態様に係るインターホン装置（１；１Ａ；１Ｂ）では、第１〜９のいずれかの態様において、操作部（１６；１６Ｂ）は、指紋情報取得部（１９；１９Ａ）により指紋情報を取得できない場合でも入力操作を受け付ける。
【０１２７】
この態様によれば、指紋情報を取得できない場合でも呼び出し先を呼び出すことができる。
【０１２８】
第１１の態様に係るインターホン装置（１；１Ａ；１Ｂ）は、第１〜１０のいずれかの態様において、第１領域（１０１）に設けられ、情報端末（２）と通信可能である。情報端末（２）は、第１領域（１０１）とは異なる第２領域（１０２）に設けられている。出力情報は、開閉情報、又は指紋情報の認証結果を含む。開閉情報は、第１領域（１０１）と第２領域（１０２）との間に設けられている開閉部材（８）を開閉するための情報である。
【０１２９】
この態様によれば、認証情報の認証結果に基づいて開閉部材（８）を開閉したり、認証情報の認証結果を通知したりすることができる。
【０１３０】
第１２の態様に係る情報端末（２）は、第１〜１１のいずれかの態様に係るインターホン装置（１；１Ａ；１Ｂ）と通信する情報端末（２）である。情報端末（２）は、表示部（２６）を備える。表示部（２６）は、対応情報と、画像情報と、を表示する。対応情報は、出力情報に応じた情報である。画像情報は、指紋情報の取得タイミングを含む所定期間においてインターホン装置（１；１Ａ；１Ｂ）の撮像部（１８）により撮像された画像の情報である。
【０１３１】
この態様によれば、指紋情報を取得したユーザの画像情報と、このユーザに対して行った対応情報とを関連付けて表示部（２６）に表示することができる。
【０１３２】
第１３の態様に係るインターホンシステム（１０）は、第１〜１１のいずれかの態様に係るインターホン装置（１；１Ａ；１Ｂ）と、情報端末（２）と、を備える。情報端末（２）は、インターホン装置（１；１Ａ；１Ｂ）と通信する。
【０１３３】
この態様によれば、指紋情報取得部（１９；１９Ａ）により指紋情報を取得することができ、専用の装置を用いることなくユーザの指紋情報を取得することができる。
【０１３４】
第２〜１１の態様に係る構成については、インターホン装置（１；１Ａ；１Ｂ）に必須の構成ではなく、適宜省略可能である。
【符号の説明】
【０１３５】
１，１Ａ，１Ｂ  インターホン装置
１６，１６Ｂ  操作部
１６１  数字ボタン（押しボタン）
１６２  アスタリスクボタン（押しボタン）
１６３  消ボタン（押しボタン）
１６４  呼出ボタン（押しボタン）
１８  撮像部
１９，１９Ａ  指紋情報取得部
２０  設定部
４０  出力部
４１，４１Ａ  参照情報取得部
２  情報端末
２６  表示部
８  開閉部材
９  他の情報端末
１０  インターホンシステム
１０１  第１領域
１０２  第２領域
Ａ１  第１部分
Ａ２  第２部分
Ｉ１  情報
【図１】
2020127088.tif 000003
【図２】
2020127088.tif 000004
【図３】
2020127088.tif 000005
【図４】
2020127088.tif 000006
【図５】
2020127088.tif 000007
【図６】
2020127088.tif 000008